(57)【要約】【課題】ペースの有効活用を図ることにより付加価値が高められた住宅構造を提供する。【解決手段】床下に植物の成長に影響を与える波長の光を照射する光源１０を有する照明ユニット１を配設するとともに、光源１０から照射された光が反射される反射板２を適宜角度にて配設し、床下に設けられた花壇Ｗや菜園Ｖに光が照射されるようにして、花や野菜の生育を促進させるものである。【選択図】図３
2014031612.tif 000002
【特許請求の範囲】
【請求項１】
床下に植物の成長に影響を与える波長の光を照射する光源が配設されてなることを特徴とする住宅構造。
【請求項２】
床下に光源から照射された光を反射する反射板が配設されてなることを特徴とする請求項１記載の住宅構造。
【請求項３】
床の一部または全部が光を透過する透過板とされてなることを特徴とする請求項１記載の住宅構造。
【請求項４】
透過板が窓際に設けられ、それにより昼間は太陽光が利用できるようにされてなることを特徴とする請求項３記載の住宅構造。
【請求項５】
透過板がアクリル樹脂板または強化板ガラスとされてなることを特徴とする請求項３記載の住宅構造。
【請求項６】
透過板が色彩または模様を有してなることを特徴とする請求項３記載の住宅構造。
【請求項７】
床板の一部または全部が着脱自在とされてなることを特徴とする請求項１記載の住宅構造。
【請求項８】
床の高さが人が這って作業しなくてもよい高さとされてなることを特徴とする請求項１記載の住宅構造。
【請求項９】
光源が保持部材に保持されて照明ユニットとされてなることを特徴とする請求項１記載の住宅構造。
【請求項１０】
保持部材の一部が上方に突出させられて支柱とされ、当該支柱に光源および反射板が配設されてなることを特徴とする請求項９記載の住宅構造。
【請求項１１】
光源が大引または床梁に配設されてなることを特徴とする請求項１記載の室内の住宅構造。
【請求項１２】
床下に配設された撮像装置と、当該撮像装置からの画像を表示する室内に配設された画像表示装置とを備えてなることを特徴とする請求項１記載の住宅構造。
【請求項１３】
撮像装置が複数とされ、画像表示装置がマルチ画像にて各撮像装置からの画像を表示するようにされてなることを特徴とする請求項１２記載の住宅構造。
【請求項１４】
撮像装置が複数とされ、画像表示装置が各撮像装置からの画像を切り替えて表示するようにされてなることを特徴とする請求項１２記載の住宅構造。
【請求項１５】
床下に花壇が設けられてなることを特徴とする請求項１記載の住宅構造。
【請求項１６】
床下に菜園が設けられてなることを特徴とする請求項１記載の住宅構造。
【発明の詳細な説明】
【技術分野】
【０００１】
本発明は住宅構造に関する。さらに詳しくは、スペースの有効活用がなされて付加価値が飛躍的に向上した住宅構造に関する。
【背景技術】
【０００２】
近時、少子高齢化の影響から戸建住宅の着工件数が減少してきている。そのため、戸建住宅の着工を促進させる観点から戸建住宅の付加価値を向上させることがなされている。
【０００３】
例えば、戸建住宅の屋根に太陽電池パネルを取り付けることがなされている。あるいは、住宅内に植物の栽培ルームを設ける案なども提案されている(特許文献１参照)。
【０００４】
しかしながら、太陽電池パネルの取り付けには費用が嵩むという問題がある。また、住宅内に植物の栽培ルームを設ける案にあっては、居住スペースが減少するという問題がある。
【０００５】
そのため、費用を抑えながら戸建住宅の付加価値を向上させることが求められている。
【先行技術文献】
【特許文献】
【０００６】
【特許文献１】特開２０１１−２５０７６９号公報
【発明の開示】
【発明が解決しようとする課題】
【０００７】
本発明はかかる従来技術の課題に鑑みなされたものであって、スペースの有効活用を図ることにより付加価値が高められた住宅構造を提供することを目的としている。
【課題を解決するための手段】
【０００８】
本発明の住宅構造は、床下に植物の成長に影響を与える波長の光を照射する光源が配設されてなることを特徴とする。
【０００９】
本発明の住宅構造においては、床下に光源から照射された光を反射する反射板が配設されてなるのが好ましい。
【００１０】
また、本発明の住宅構造においては、床の一部または全部が光を透過する透過板とされてなるのが好ましい。その場合、透過板が窓際に設けられ、それにより昼間は太陽光が利用できるようにされてなるのがさらに好ましい。ここで、透過板は例えばアクリル樹脂板または強化板ガラスとされる。
【００１１】
また、本発明の住宅構造においては、透過板が色彩または模様を有していてもよい。
【００１２】
また、本発明の住宅構造においては、床板の一部または全部が着脱自在とされてなるのが好ましい。
【００１３】
また、本発明の住宅構造においては、床の高さが人が這って作業しなくてもよい高さとされてなるのが好ましい。
【００１４】
また、本発明の住宅構造においては、光源が保持部材に保持されて照明ユニットとされてなるのが好ましい。
【００１５】
また、本発明の住宅構造においては、保持部材の一部が上方に突出させられて支柱とされ、当該支柱に光源および反射板が配設されてなるのが好ましい。
【００１６】
また、本発明の住宅構造においては、光源が大引または床梁に配設されてもよい。
【００１７】
また、本発明の住宅構造においては、床下に配設された撮像装置と、当該撮像装置からの画像を表示する室内に配設された画像表示装置とを備えてなるのが好ましい。その場合、撮像装置が複数とされ、画像表示装置がマルチ画像にて各撮像装置からの画像を表示するようにされてもよく、あるいは撮像装置が複数とされ、画像表示装置が各撮像装置からの画像を切り替えて表示するようにされてもよい。
【００１８】
また、本発明の住宅構造においては、床下に花壇が設けられたり、菜園が設けられたりするのが好ましい。  
【発明の効果】
【００１９】
本発明の前記の如く構成されているので、床下に花壇や菜園を設けることができて住宅の付加価値が向上されるという優れた効果を奏する。
【図面の簡単な説明】
【００２０】
【図１】本発明の実施形態１に係る住宅構造の要部概略図である。
【図２】同実施形態において、床下に花壇や菜園を設けた場合の概略図である。
【図３】本発明の実施形態２に係る住宅構造の要部概略図である。
【図４】本発明の実施形態３に係る住宅構造の要部概略図である。
【図５】同実施形態における透過板の変形例の概略図である。
【図６】光源により室内が照明されている状態を示す概略図である。
【図７】本発明の実施形態４に係る住宅構造の要部概略図である。
【図８】本発明の実施形態５に係る住宅構造の要部概略図である。
【図９】本発明の実施形態６に係る住宅構造の要部概略図である。
【図１０】本発明の実施形態７に係る住宅構造の要部概略図である。
【発明を実施するための形態】
【００２１】
以下、添付図面を参照しながら本発明を実施形態に基づいて説明するが、本発明はかかる実施形態のみに限定されるものではない。
【００２２】
実施形態１
図１および図２に、本発明の実施形態１に係る住宅構造を示す。
【００２３】
住宅構造Ｋは、図１および図２に示すように、床下に配設された所要数の照明ユニット１と、照明ユニット１から照射された光を反射する反射板２とを有するものとされる。図中、符号Ｆは床を示す。
【００２４】
照明ユニット１は、光源１０と、光源１０に電気を供給するユニット内電気設備２０と、それらを保持する保持部材３０とを有するものとされる。なお、照明ユニット１は、少なくとも光源１０を有していればよい。
【００２５】
光源１０は、点光源、線状光源、面状光源などとされる。光源１０の種類は、電球、蛍光灯、発光ダイオード（ＬＥＤ）などとされる。照射光の種類は、植物の生育に影響を与える波長の光とされる。例えば、赤色光、緑色光などとされる。
【００２６】
ユニット内電気設備２０は、床下に設けられたコンセントＣに差し込まれるプラグ２１を有するコード２２と、コード２２基端と光源１０とを電気的に接続する内部電気配線２３と、ユニット側スイッチ(図示省略)と、光源１０に応じた素子(図示省略)とを含むものとされる。なお、コンセントＣは床上に配設されていてもよい。
【００２７】
光源１０が取り付けられた保持部材３０は、床下コンクリートに適宜手段を介して保持される。例えば、保持部材３０はコンクリートアンカーにより床下コンクリートに固定される。なお、保持部材３０は床下コンクリートに単に載置されてもよい。
【００２８】
反射板２は平面鏡、凹面鏡、凸面鏡などとされて、光源１０の上方の適宜位置に配設される。例えば、床面裏面に反射面を適宜角度としてセットされる。
【００２９】
このように、本実施形態によれば、床下に植物の生育に影響を与える光源１０を有する照明ユニット１を配設しているので、現状ではほとんど利用されていない床下に、図２に示すように、菜園Ｖや花壇Ｗを設けることができ、住宅の付加価値の向上が図られる。
【００３０】
実施形態２
図３に、本発明の実施形態２を示す。実施形態２は実施形態１の保持部材３０および反射板２を改変してなるものとされる。
【００３１】
保持部材３０は、図３に示すように、その一部が上方に突出されて支柱３１を形成し、支柱３１に光源１０を配設するとともに、支柱３１上端に反射板２を適宜角度にてセットしてなるものとされる。なお、実施形態２のその余の構成および作用・効果は実施形態１と同様とされている。
【００３２】
このように、本実施形態においては光源１０の高さが高くされているので、床下コンクリートに花壇Ｗや菜園Ｖを設けた場合に、花や野菜に対する光の照射量の増大が図られて、それらの生育が促進されるという実施形態１では得られない効果も得られる。
【００３３】
また、照明ユニット１に反射板２を付設しているので、反射板２を個別にセットする必要がなくなり、施工が簡素化されて施工期間が短縮されるとともに施工コストも低減されるという実施形態１では得られない効果も得られる。
【００３４】
実施形態３
図４に、本発明の実施形態３を示す。実施形態３は実施形態１の床Ｆを改変してなるものとされる。
【００３５】
床Ｆは、図４に示すように、床Ｆの一部が光を透過させる透過板３とされて、床下の観察がなし得るようにされてなるものとされる。なお、実施形態３のその余の構成および作用・効果は実施形態１と同様とされている。
【００３６】
透過板３は、例えばアクリル樹脂板や強化板ガラスとされる。アクリル樹脂板や強化板ガラスは、床下を観察する観点から無色透明とされるのが好ましい。ただし、床下を観察できる程度に着色されていてもよく、また模様が形成されていてもよい。さらに、透過板３は窓際に設けられ、それにより昼間は太陽光が利用されるようにされてもよい。なお、透過板３は床Ｆの全面に配設されてもよい。
【００３７】
この場合、透過板３は、図５に示すように、引き出し式取っ手３ａが設けられた枠３ｂが設けられて枠付透過板３Ａとされ、かつ、枠付透過板３Ａが着脱自在とされてもよい。
【００３８】
しかして、かかる構成とされた床Ｆにおいて光源１０に電力が供給されて光源１０が点灯されると、図６に示すように、照射された光が床Ｆに配設された透過板３を透過して室内を照らすので、夜間においては光源１０がフットライトとして機能する。
【００３９】
このように、本実施形態においては床Ｆの一部または全部が光を透過させる透過板３により構成されているので、床下に花壇Ｗや菜園Ｖを設けた場合には、室内にいながらにして花や野菜の生育状態を把握することができるという実施形態２では得られない効果が得られる。
【００４０】
また、床下コンクリート面に配設された照明ユニット１により室内が結果的に照明されるので、室内照明の多様化が図られる。
【００４１】
実施形態４
図７に、本発明の実施形態４を示す。実施形態４は実施形態２の床Ｆを改変してなるものとされる。
【００４２】
床Ｆは、図７に示すように、一部または全部の床板ＦＢが着脱自在とされてなるものとされる。なお、実施形態４のその余の構成および作用・効果は実施形態２と同様とされている。
【００４３】
このように、本実施形態においては床板ＦＢの一部または全部が着脱自在とされているので、照明ユニット１のメンテナンスが容易となるという実施形態２では得られない効果が得られる。
【００４４】
また、床下に花壇Ｗや菜園Ｖを設けた場合には、花や野菜の手入れおよび収穫が容易になるという効果も得られる。
【００４５】
実施形態５
図８に、本発明の実施形態５を示す。実施形態５は実施形態１における照明ユニット１の配設位置を変更してなるものとされる。
【００４６】
照明ユニット１は、図８に示すように、床下に設けられた大引Ｂに配設されてなるものとされる。例えば、照明ユニット１は、大引Ｂの下面や側面に配設される。ここで、照明ユニット１は大引Ｂに加えて床梁に配設されてもよい。
【００４７】
なお、実施形態５のその余の構成および作用・効果は、実施形態１と同様とされている。
【００４８】
このように、本実施形態によれば、照明ユニット１が大引Ｂなどに配設されているので、床下の利用面積が拡大される。
【００４９】
実施形態６
図９に、本発明の実施形態６を示す。実施形態６は実施形態２の床Ｆを改変してなるものとされる。
【００５０】
床Ｆは、図９に示すように、床面の高さが高くされて床下における作業が楽な姿勢できるようにされてなるものとされる。例えば、従来の床下のように人が這って作業するのではなく、人が腰を屈めた姿勢で作業ができる高さに床面の高さが調整されてなるものとされる。なお、実施形態６のその余の構成および作用・効果は実施形態２と同様とされている。
【００５１】
このように、本実施形態においては床面の高さが高くされて床下での作業が楽な姿勢でできるので、照明ユニット１のメンテナンスにおける作業能率が向上するという実施形態２では得られない効果が得られる。
【００５２】
また、床下に花壇Ｗや菜園Ｖを設けた場合には、丈の高い花や野菜の栽培が可能となるという効果も得られる。
【００５３】
実施形態７
図１０に、本発明の実施形態７を示す。実施形態７は実施形態２を改変してなるものとされる。
【００５４】
住宅構造Ｋは、図１０に示すように、床下にテレビカメラなどの撮像装置４を設ける一方、居間などの室内に撮像された画像を表示する画像処理制御装置５と画像表示装置６とを設けてなるものとされる。
【００５５】
本実施形態においては、撮像装置４が複数とされ、それらにより撮影された画像がマルチ画面にて画像表示装置６に表示されるようにされたり、それらが順次画像表示装置６に表示されるように、画像処理制御装置５により制御されてもよい。
なお、実施形態７のその余の構成および作用・効果は実施形態２と同様とされている。
【００５６】
このように、本実施形態においては床下に撮像装置４を設ける一方、室内に撮像された画像を表示する画像表示装置６を設けるようにされているので、室内にいながら床下の照明ユニット１の状態が把握できるという実施形態２では得られない効果が得られる。
【００５７】
また、床下に花壇Ｗを設けた場合には、居間にいながら花の観賞がなし得るので、庭のない住宅にあっても庭があるのと同様の効果が得られる。
【００５８】
また、床下に菜園Ｖを設けた場合には、居間にいながら野菜の生育状態を把握できるという効果が得られる。
【産業上の利用可能性】
【００５９】
本発明は住宅産業に利用できる。また、床下を花壇や野菜畑とすることを可能とするので、戸建住宅を付加価値また、床下に花壇や菜園を設けた場合には、の向上に資することが期待される。
【符号の説明】
【００６０】
１      照明ユニット
２      反射板
３      透過板
４      撮像装置
５      画像処理制御装置
６      画像表示装置
１０      光源
２０      ユニット内電気設備
２１      プラグ
２２      コード
２３      内部電気配線
３０      保持部材
３１      支柱
Ｋ      住宅構造
Ｆ      床
ＦＢ    床板
Ｖ      菜園
Ｗ      花壇
【図１】
2014031612.tif 000003
【図２】
2014031612.tif 000004
【図３】
2014031612.tif 000005
【図４】
2014031612.tif 000006
【図５】
2014031612.tif 000007
【図６】
2014031612.tif 000008
【図７】
2014031612.tif 000009
【図８】
2014031612.tif 000010
【図９】
2014031612.tif 000011
【図１０】
2014031612.tif 000012